(57)【要約】【課題】回転ジョイント支持構造の製造コストを抑える。【解決手段】モータ１４は、回転ジョイント３２を支持する回転ジョイント支持構造２０が取り付けられ、主軸１２を回転させる。モータ１４は、モータハウジング２２と、主軸１２の軸方向にモータハウジング２２を貫通した中空状の回転軸１６と、回転ジョイント支持構造２０が取り付けられる側であって、モータハウジング２２の外側で、回転軸１６に一体的に取り付けられたフリンジャー２４と、モータハウジング２２に設けられ、フリンジャー２４の周囲を囲むように主軸１２の軸方向に突出した周壁部２６と、を備える。周壁部２６には、周壁部２６の内部と外部とを連通するように複数の切欠け部２６ａが形成されている。【選択図】図５
2019069483.tif 000002
【特許請求の範囲】
【請求項１】
回転ジョイントを支持する回転ジョイント支持構造が取り付けられ、主軸を回転させるためのモータであって、
モータハウジングと、
前記主軸の軸方向に前記モータハウジングを貫通した中空状の回転軸と、
前記回転ジョイント支持構造が取り付けられる側であって、前記モータハウジングの外側で、前記回転軸に一体的に取り付けられたフリンジャーと、
前記モータハウジングに設けられ、前記フリンジャーの周囲を囲むように前記主軸の軸方向に突出した周壁部と、
を備え、
前記周壁部には、前記周壁部の内部と外部とを連通するように複数の切欠け部が形成されている、モータ。
【請求項２】
請求項１に記載のモータであって、
前記周壁部の先端部には、前記回転ジョイント支持構造が着脱可能に取り付けられ、
前記フリンジャーは、前記モータハウジング、前記周壁部、および、前記回転ジョイント支持構造の回転ジョイントハウジングで形成された空間内に収納される、モータ。
【請求項３】
請求項１または２に記載のモータであって、
前記周壁部の先端部には、前記回転ジョイント支持構造の回転ジョイントハウジングと嵌合する嵌合部が形成されている、モータ。
【請求項４】
主軸を回転させるモータと、回転ジョイントを支持する回転ジョイント支持構造とを有する主軸保護構造であって、
前記モータは、
モータハウジングと、
前記主軸の軸方向に前記モータハウジングを貫通した中空状の回転軸と、
前記回転ジョイント支持構造が取り付けられる側であって、前記モータハウジングの外側で、前記回転軸に一体的に取り付けられたフリンジャーと、
前記モータハウジングに設けられ、前記フリンジャーの周囲を囲むように、前記主軸の軸方向に突出した周壁部と、
を備え、
前記周壁部には、前記周壁部の内部と外部とを連通するように複数の切欠け部が形成され、
前記回転ジョイント支持構造は、
貫通孔を有し、前記回転軸に取り付けられる回転側部材と、貫通孔を有し、前記回転側部材と対向するように設けられた固定側部材とを含む前記回転ジョイントと、
前記回転ジョイントの前記回転側部材を少なくとも収容し、前記固定側部材を少なくとも支持する回転ジョイントハウジングと、
を備え、
前記回転ジョイントハウジングは、前記周壁部の先端部に取り付けられる、主軸保護構造。
【請求項５】
請求項４に記載の主軸保護構造であって、
前記フリンジャーは、前記モータハウジング、前記周壁部、および、前記回転ジョイントハウジングで形成される空間内に収納される、主軸保護構造。
【請求項６】
請求項４または５に記載の主軸保護構造であって、
前記周壁部の先端部には、前記回転ジョイントハウジングと嵌合する嵌合部が形成されている、主軸保護構造。
【発明の詳細な説明】
【技術分野】
【０００１】
本発明は、回転ジョイント支持構造が取り付けられるモータ、および、モータと回転ジョイント支持構造とを有する主軸保護構造に関する。
【背景技術】
【０００２】
下記に示す特許文献１に示すように、従来は、主軸保護構造において、回転ジョイントを支持する回転ジョイント取付ハウジングの外周側面のうち、モータのロータ軸に一体的に取り付けられたフリンジャーと対向する部分に、複数の切り欠きを設けていた。これにより、フリンジャーで弾き飛ばされたクーラントを、回転ジョイント取付ハウジングの外部に排出することができる。
【先行技術文献】
【特許文献】
【０００３】
【特許文献１】特許第３８０６３１２号公報
【発明の概要】
【発明が解決しようとする課題】
【０００４】
しかしながら、上記した特許文献１では、回転ジョイント取付ハウジングに複数の切り欠きを設ける必要があり、回転ジョイント取付ハウジングの構造が複雑化していた。そのため、回転ジョイントおよび回転ジョイント取付ハウジングを有する回転ジョイント支持構造の製造コストが高くなっていた。
【０００５】
そこで、本発明は、回転ジョイント支持構造の製造コストを抑えることができるモータおよび主軸保護構造を提供することを目的とする。
【課題を解決するための手段】
【０００６】
本発明の第１の態様は、回転ジョイントを支持する回転ジョイント支持構造が取り付けられ、主軸を回転させるためのモータであって、モータハウジングと、前記主軸の軸方向に前記モータハウジングを貫通した中空状の回転軸と、前記回転ジョイント支持構造が取り付けられる側であって、前記モータハウジングの外側で、前記回転軸に一体的に取り付けられたフリンジャーと、前記モータハウジングに設けられ、前記フリンジャーの周囲を囲むように前記主軸の軸方向に突出した周壁部と、を備え、前記周壁部には、前記周壁部の内部と外部とを連通するように複数の切欠け部が形成されている。
【０００７】
本発明の第２の態様は、主軸を回転させるモータと、回転ジョイントを支持する回転ジョイント支持構造とを有する主軸保護構造であって、前記モータは、モータハウジングと、前記主軸の軸方向に前記モータハウジングを貫通した中空状の回転軸と、前記回転ジョイント支持構造が取り付けられる側であって、前記モータハウジングの外側で、前記回転軸に一体的に取り付けられたフリンジャーと、前記モータハウジングに設けられ、前記フリンジャーの周囲を囲むように、前記主軸の軸方向に突出した周壁部と、を備え、前記周壁部には、前記周壁部の内部と外部とを連通するように複数の切欠け部が形成され、前記回転ジョイント支持構造は、貫通孔を有し、前記回転軸に取り付けられる回転側部材と、貫通孔を有し、前記回転側部材と対向するように設けられた固定側部材とを含む前記回転ジョイントと、前記回転ジョイントの前記回転側部材を少なくとも収容し、前記固定側部材を少なくとも支持する回転ジョイントハウジングと、を備え、前記回転ジョイントハウジングは、前記周壁部の先端部に取り付けられる。
【発明の効果】
【０００８】
本発明によれば、回転ジョイント支持構造の製造コストを抑えることができる。
【図面の簡単な説明】
【０００９】
【図１】スピンドルスルークーラントにおける主軸保護構造を示す図である。
【図２】モータの外観側面図である。
【図３】回転ジョイント支持構造が取り付けられる側からみた場合のモータの外観背面図である。
【図４】回転ジョイント支持構造が取り付けられたモータの外観側面図である。
【図５】モータに取り付けられた回転ジョイント支持構造の一部断面図である。
【発明を実施するための形態】
【００１０】
本発明に係るモータおよび主軸保護構造について、好適な実施の形態を掲げ、添付の図面を参照しながら以下、詳細に説明する。
【００１１】
図１は、スピンドルスルークーラントにおける主軸保護構造１０を示す図である。主軸保護構造１０は、回転可能の保持された主軸１２と、モータ１４と、主軸１２とモータ１４の回転軸１６とを接続するカップリング１８と、回転ジョイント支持構造２０とを有する。主軸１２および回転軸１６の各々は、貫通孔１２ａ、１６ａが形成された中空状となっており、貫通孔１２ａ、１６ａは連通している。回転ジョイント支持構造２０は、主軸１２がある側とは反対側でモータ１４に取り付けられる。回転ジョイント支持構造２０からモータ１４の回転軸１６の貫通孔１６ａにクーラントが供給される。これにより、回転軸１６の貫通孔１６ａに供給されたクーラントが、主軸１２の貫通孔１２ａを通り、主軸１２の先端に取り付けられた工具ＴＯから噴射する。なお、以下の説明においては、図１に示した矢印にしたがって、上下の方向を説明する。
【００１２】
次に、図２、図３を用いて、モータ１４の具体的な構成を説明する。図２は、モータ１４の外観側面図、図３は、回転ジョイント支持構造２０が取り付けられる側からみたモータ１４の外観背面図である。モータ１４は、モータハウジング２２と、主軸１２の軸方向にモータハウジング２２を貫通した回転軸１６とを有する。
【００１３】
回転軸１６には、フリンジャー２４が一体的に取り付けられている。フリンジャー２４は、回転ジョイント支持構造２０が取り付けられる側であって、モータハウジング２２の外側で、回転軸１６に取り付けられている。つまり、フリンジャー２４は、モータハウジング２２の上側で回転軸１６に取り付けられている。フリンジャー２４は、回転軸１６と一緒に回転する。
【００１４】
モータハウジング２２には、フリンジャー２４の周囲を囲むように主軸１２（回転軸１６）の軸方向に上方に突出した周壁部２６が設けられている。この周壁部２６には、周壁部２６の内部（内周面、内側）と外部（外周面、外側）とを連通するように複数の切欠け部２６ａが形成されている。この複数の切欠け部２６ａによって、周壁部２６は、軸方向に上方に突出した複数の突出部２６ｂに分割される。この周壁部２６（複数の突出部２６ｂ）は、フリンジャー２４の上側の端面と同じ位置まで突出している、または、フリンジャー２４の上側の端面の位置より上方に突出している。
【００１５】
図４は、回転ジョイント支持構造２０が取り付けられたモータ１４の外観側面図、図５は、モータ１４に取り付けられた回転ジョイント支持構造２０の一部断面図である。図５は、図３のＶ−Ｖ線矢視断面からみた図である。
【００１６】
回転ジョイント支持構造２０（回転ジョイント支持構造２０の回転ジョイントハウジング３０）が、周壁部２６に着脱可能に取り付けられている。回転ジョイント支持構造２０（回転ジョイントハウジング３０）は、ボルトＢ１によって、周壁部２６の先端部（上端部）に取り付けられている。回転ジョイント支持構造２０（回転ジョイントハウジング３０）をモータ１４の周壁部２６に取り付けることで、フリンジャー２４は、モータハウジング２２、周壁部２６、および、回転ジョイント支持構造２０（回転ジョイントハウジング３０）で形成された空間２８内に収納される。
【００１７】
回転ジョイント支持構造２０の回転ジョイント３２は、貫通孔３４ａを有し、回転軸１６に取り付けられた回転側部材３４と、回転軸１６の軸方向に沿って回転側部材３４と対向するように設けられた固定側部材３６とを有する。回転側部材３４は、回転軸１６の貫通孔１６ａの上端部に刻設されたネジに螺合されて、回転軸１６と一体に回転するように回転軸１６に固定されている。この回転軸１６の貫通孔１６ａと回転側部材３４の貫通孔３４ａとは連通している。固定側部材３６は、回転側部材３４と摺接するソケット部３７を有する。固定側部材３６の側面には、クーラント送給用の配管３８が接続されている。配管３８から供給されたクーラントは、固定側部材３６の貫通孔３６ａを通ってソケット部３７に至り、ソケット部３７に摺接する回転側部材３４の貫通孔３４ａを通って、回転軸１６の貫通孔１６ａに流れ込む。
【００１８】
回転ジョイントハウジング３０は、回転側部材３４を少なくとも収容し、且つ、固定側部材３６を少なくとも支持する。回転ジョイントハウジング３０は、外観が略円柱状の形状を有し、底壁３０ａがボルトＢ１を介して周壁部２６の先端部に取り付けられている。回転ジョイントハウジング３０は、隔壁４０によって上下方向に２つの気室４２ａ、４２ｂに分割されている。周壁部２６の先端部には、回転ジョイントハウジング３０の底壁３０ａとインロー嵌合する嵌合部４４ａが形成され、回転ジョイントハウジング３０の底壁３０ａには、嵌合部４４ａと嵌合する凹部４４ｂが形成されている。これにより、回転ジョイント支持構造２０（回転ジョイントハウジング３０）のモータ１４（周壁部２６）への位置決めが容易になり、回転ジョイント支持構造２０（回転ジョイントハウジング３０）を簡単にモータ１４（周壁部２６）に取り付けることができる。
【００１９】
底壁３０ａは、中央部に回転軸１６の貫通を許容する貫通孔３１ａを有する。回転軸１６の先端（上端）は、貫通孔３１ａを通って回転ジョイントハウジング３０内の気室４２ｂまで延びている。隔壁４０は、回転側部材３４の貫通を許容する貫通孔４０ａを有する。回転軸１６に取り付けられた回転側部材３４は、貫通孔４０ａを通って回転ジョイントハウジング３０内の気室４２ａまで延びている。つまり、回転側部材３４は、気室４２ｂから気室４２ａに亘って設けられている。
【００２０】
回転ジョイントハウジング３０の上壁３０ｂは、中央部にソケット部３７の貫通を許容する貫通孔３１ｂを有する。固定側部材３６は、ソケット部３７が貫通孔３１ｂを通って気室４２ａ内に挿入されるように、回転ジョイントハウジング３０の上壁３０ｂの上面側に固着されている。これにより、気室４２ａ内には、回転側部材３４の先端部分と固定側部材３６のソケット部３７とが設けられている。
【００２１】
回転側部材３４とソケット部３７との間からクーラントが漏れる場合があるので、気室４２ａの側面にドレイン配管４６が接続されている。これにより、回転側部材３４とソケット部３７との間から漏れたクーラントを回転ジョイントハウジング３０の外に排出することができる。また、隔壁４０の貫通孔４０ａが設けられた周辺部分を緩やかに上方に突出させることで、漏れたクーラントを気室４２ａの外周に導いて、ドレイン配管４６からの排出を容易にしている。
【００２２】
隔壁４０の貫通孔４０ａには周溝４８が形成され、周溝４８から径方向外側に向かって延びる貫通孔５０が隔壁４０に形成されている。この貫通孔５０は、気室４２ａの側面に設けられたエアパージ配管５２と接続されている。このエアパージ配管５２を介して外部から圧縮空気を貫通孔５０および周溝４８に送り込むことによって、漏れたクーラントのドレイン配管４６からの排出を容易にすることができる。
【００２３】
気室４２ａでのクーラントの排出が間に合わず、気室４２ｂまでクーラントが侵入したときに対処するため、気室４２ｂの側面には、予備ドレイン配管５４が接続されている。
【００２４】
フリンジャー２４は、気室４２ｂでの排出が間に合わず、空間２８内まで侵入したクーラントが、モータ１４の内部に侵入することを防止する。フリンジャー２４は、モータ１４の回転軸１６と一緒に回転することで、遠心力によりクーラントを径方向外側に弾き飛ばす。周壁部２６には、複数の切欠け部２６ａが形成されているので、フリンジャー２４によって径方向外側に弾き飛ばされたクーラントは、切欠け部２６ａを通って外部に排出される。
【００２５】
このように、モータ１４の回転軸１６にフリンジャー２４を取り付けるとともに、モータハウジング２２に、複数の切欠け部２６ａが形成された周壁部２６を設けたので、回転ジョイントハウジング３０に切欠け部２６ａを設ける必要がない。したがって、回転ジョイントハウジング３０の構造が簡単になり、回転ジョイントハウジング３０の製造コストを抑えることができる。その結果、回転ジョイント支持構造２０の製造コストが低廉になる。
【００２６】
特に、フリンジャー２４が、モータハウジング２２、周壁部２６、および、回転ジョイントハウジング３０で形成された空間２８内に収納されるので、回転ジョイントハウジング３０は、フリンジャー２４より下方に延びることがない。したがって、回転ジョイントハウジング３０に切欠け部２６ａを設けることもできない。
【００２７】
〔実施の形態から得られる技術的思想〕
上記実施の形態から把握しうる技術的思想について、以下に記載する。
【００２８】
＜第１の技術的思想＞
モータ（１４）は、回転ジョイント（３２）を支持する回転ジョイント支持構造（２０）が取り付けられ、主軸（１２）を回転させる。モータ（１４）は、モータハウジング（２２）と、主軸（１２）の軸方向にモータハウジング（２２）を貫通した中空状の回転軸（１６）と、回転ジョイント支持構造（２０）が取り付けられる側であって、モータハウジング（２２）の外側で、回転軸（１６）に一体的に取り付けられたフリンジャー（２４）と、モータハウジング（２２）に設けられ、フリンジャー（２４）の周囲を囲むように主軸（１２）の軸方向に突出した周壁部（２６）と、を備える。周壁部（２６）には、周壁部（２６）の内部と外部とを連通するように複数の切欠け部（２６ａ）が形成されている。
【００２９】
これにより、回転ジョイント支持構造（２０）の回転ジョイントハウジング（３０）に切欠け部（２６ａ）を設ける必要がなくなり、回転ジョイントハウジング（３０）の構造が簡単になる。したがって、回転ジョイントハウジング（３０）の製造コストを抑えることができ、その結果、回転ジョイント支持構造（２０）の製造コストが低廉になる。
【００３０】
周壁部（２６）の先端部には、回転ジョイント支持構造（２０）が着脱可能に取り付けられ、フリンジャー（２４）は、モータハウジング（２２）、周壁部（２６）、および、回転ジョイント支持構造（２０）の回転ジョイントハウジング（３０）で形成された空間（２８）内に収納されてもよい。これにより、回転ジョイントハウジング（３０）の製造コストを抑えることができ、その結果、回転ジョイント支持構造（２０）の製造コストが低廉になる。
【００３１】
周壁部（２６）の先端部には、回転ジョイント支持構造（２０）の回転ジョイントハウジング（３０）と嵌合する嵌合部（４４ａ）が形成されていてもよい。これにより、回転ジョイント支持構造（２０）のモータ（１４）への位置決めが容易になり、回転ジョイント支持構造（２０）を簡単にモータ（１４）に取り付けることができる。
【００３２】
＜第２の技術的思想＞
主軸保護構造（１０）は、主軸（１２）を回転させるモータ（１４）と、回転ジョイント（３２）を支持する回転ジョイント支持構造（２０）とを有する。モータ（１４）は、モータハウジング（２２）と、主軸（１２）の軸方向にモータハウジング（２２）を貫通した中空状の回転軸（１６）と、回転ジョイント支持構造（２０）が取り付けられる側であって、モータハウジング（２２）の外側で、回転軸（１６）に一体的に取り付けられたフリンジャー（２４）と、モータハウジング（２２）に設けられ、フリンジャー（２４）の周囲を囲むように、主軸（１２）の軸方向に突出した周壁部（２６）と、を備える。周壁部（２６）には、周壁部（２６）の内部と外部とを連通するように複数の切欠け部（２６ａ）が形成されている。回転ジョイント支持構造（２０）は、貫通孔（３４ａ）を有し、回転軸（１６）に取り付けられる回転側部材（３４）と、貫通孔（３６ａ）を有し、回転側部材（３４）と対向するように設けられた固定側部材（３６）とを含む回転ジョイント（３２）と、回転ジョイント（３２）の回転側部材（３４）を少なくとも収容し、固定側部材（３６）を少なくとも支持する回転ジョイントハウジング（３０）と、を備える。回転ジョイントハウジング（３０）は、周壁部（２６）の先端部に取り付けられる。
【００３３】
これにより、回転ジョイントハウジング（３０）に切欠け部（２６ａ）を設ける必要がなくなり、回転ジョイントハウジング（３０）の構造が簡単になる。したがって、回転ジョイントハウジング（３０）の製造コストを抑えることができ、その結果、回転ジョイント支持構造（２０）の製造コストが低廉になる。
【００３４】
フリンジャー（２４）は、モータハウジング（２２）、周壁部（２６）、および、回転ジョイントハウジング（３０）で形成される空間（２８）内に収納されてもよい。これにより、回転ジョイントハウジング（３０）の製造コストを抑えることができ、その結果、回転ジョイント支持構造（２０）の製造コストが低廉になる。
【００３５】
周壁部（２６）の先端部には、回転ジョイントハウジング（３０）と嵌合する嵌合部（４４ａ）が形成されていてもよい。これにより、回転ジョイント支持構造（２０）のモータ（１４）への位置決めが容易になり、回転ジョイント支持構造（２０）を簡単にモータ（１４）に取り付けることができる。
【符号の説明】
【００３６】
１０…主軸保護構造                      １２…主軸
１２ａ、１６ａ、３１ａ、３１ｂ、３４ａ、３６ａ、４０ａ、５０…貫通孔
１４…モータ                            １６…回転軸
１８…カップリング                      ２０…回転ジョイント支持構造
２２…モータハウジング                  ２４…フリンジャー
２６…周壁部                            ２６ａ…切欠け部
２６ｂ…突出部                          ２８…空間
３０…回転ジョイントハウジング          ３０ａ…底壁
３０ｂ…上壁                            ３２…回転ジョイント
３４…回転側部材                        ３６…固定側部材
３７…ソケット部                        ３８…配管
４０…隔壁                              ４２ａ、４２ｂ…気室
４４ａ…嵌合部                          ４４ｂ…凹部
４６…ドレイン配管                      ４８…周溝
５２…エアパージ配管                    ５４…予備ドレイン配管
【図１】
2019069483.tif 000003
【図２】
2019069483.tif 000004
【図３】
2019069483.tif 000005
【図４】
2019069483.tif 000006
【図５】
2019069483.tif 000007